(57)【要約】【課題】高電圧においてもアークの発生が抑制され、破壊等されにくい電磁継電器を提供する。【解決手段】コイルと、接極子と、鉄心と、前記接極子に接続されており、絶縁体により形成されたカードと、第１の接点と、前記第１の接点と接触可能な第２の接点と、を有し、前記コイルに電流が流れていない状態では、前記第１の接点と前記第２の接点とが接触しており、前記コイルに電流が流れている状態では、前記接極子が前記鉄心に引き寄せられて、前記カードが、前記第１の接点と前記第２の接点との間に入り、前記第１の接点と前記第２の接点とが離れることを特徴とする電磁継電器を提供することにより上記課題を解決する。【選択図】  図２
2015207378.tif 000002
【特許請求の範囲】
【請求項１】
コイルと、
接極子と、
鉄心と、
前記接極子に接続されており、絶縁体により形成されたカードと、
第１の接点と、
前記第１の接点と接触可能な第２の接点と、
を有し、
前記コイルに電流が流れていない状態では、前記第１の接点と前記第２の接点とが接触しており、
前記コイルに電流が流れている状態では、前記接極子が前記鉄心に引き寄せられて、前記カードが、前記第１の接点と前記第２の接点との間に入り、前記第１の接点と前記第２の接点とが離れることを特徴とする電磁継電器。
【請求項２】
コイルと、
接極子と、
鉄心と、
前記接極子に接続されており、絶縁体により形成されたカードと、
第１の接点と、
前記第１の接点と接触可能な第２の接点と、
を有し、
前記コイルに電流が流れていない状態では、前記カードが、前記第１の接点と前記第２の接点との間に入り、前記第１の接点と前記第２の接点とが離れており、
前記コイルに電流が流れている状態では、前記接極子が前記鉄心に引き寄せられて、前記カードが動き、前記第１の接点と前記第２の接点とが接触することを特徴とする電磁継電器。
【請求項３】
前記カードには、貫通口が設けられており、
前記第１の接点と前記第２の接点は、前記カードにおける前記貫通口において接触していることを特徴とする請求項１または２に記載の電磁継電器。
【請求項４】
前記カードは、先端部分の両側に形成された壁部を有し、
前記カードが、前記第１の接点と前記第２の接点との間に入った際に、前記壁部が前記第１の接点及び前記第２の接点と接触して、前記第１の接点と前記第２の接点とが離されることを特徴とする請求項１または２に記載の電磁継電器。
【請求項５】
前記カードは、先端部分に凹凸が形成されていることを特徴とする請求項１または２に記載の電磁継電器。
【請求項６】
前記第１の接点と前記第２の接点との間には、はさみ状の絶縁部材が設けられており、前記はさみ状の絶縁部材は、前記接極子に接続されたカード棒により開閉するものであって、
前記はさみ状の絶縁部材が開いている状態においては、前記第１の接点と前記第２の接点とが接触しており、
前記はさみ状の絶縁部材が閉じている状態においては、前記第１の接点と前記第２の接点との間に前記はさみ状の絶縁部材が入り込み、前記第１の接点と前記第２の接点とが離れること特徴とする請求項１または２に記載の電磁継電器。
【請求項７】
前記第１の接点は、第１の支持部と前記第１の支持部の端部に設けられた接点突起部とを有しており、
前記第２の接点は、第２の支持部と前記第２の支持部の端部に設けられた接点突起部とを有しており、
前記第１の接点と前記第２の接点とが接触している状態においては、前記第１の支持部における接点突起部と前記第２の支持部における接点突起部とが接触しているものであって、
前記カードは、カード本体部と、前記カード本体部よりも薄く形成された先端部とを有しており、
前記第１の接点と前記第２の接点とが離れる際には、
前記第１の接点における接点突起部と第２の接点における接点突起部とが接触している状態から、前記第１の接点における前記第１の支持部と前記第２の接点における前記第２の支持部との間に、前記カード本体部が入り、前記第１の接点における接点突起部と前記第２の接点における接点突起部とが離れた後、前記第１の接点における接点突起部と前記第２の接点における接点突起部との間に、前記カードにおける先端部が入り込むことを特徴とする請求項１または２に記載の電磁継電器。
【請求項８】
前記第１の接点及び前記第２の接点は複数設けられていることを特徴とする請求項１から７のいずれかに記載の電磁継電器。
【発明の詳細な説明】
【技術分野】
【０００１】
本発明は、電磁継電器に関する。
【背景技術】
【０００２】
電磁石により接点の開閉を制御する機器として電磁継電器がある。電磁継電器は、リレーと呼ばれており、電磁石のコイルに電流を流すことにより磁界が発生し、発生した磁界により、接極子が鉄心に引きつけられて、固定接点と可動接点とが接触しオンとなり、電磁継電器を介し、電力を供給することができるものである。一方、コイルに流れる電流の供給を停止すると、発生していた磁界がなくなり、バネの復元力等により接極子が鉄心から離れ、これに伴い固定接点より可動接点が離れオフになり、電磁継電器を介して供給されていた電流を遮断することができる。
【先行技術文献】
【特許文献】
【０００３】
【特許文献１】特開２０１０−２０９７５号公報
【発明の概要】
【発明が解決しようとする課題】
【０００４】
近年、電磁継電器においては、高電圧に対応したものが求められているが、従来の電磁継電器では、高電圧を印加した場合、固定接点と可動接点との間にアークが発生してしまい、発生したアークの熱により接点が溶融し、電磁継電器が破壊されてしまう場合がある。
【０００５】
よって、高電圧においてもアークの発生が抑制され、破壊等されにくい電磁継電器が求められている。
【課題を解決するための手段】
【０００６】
本実施の形態の一観点によれば、コイルと、接極子と、鉄心と、前記接極子に接続されており、絶縁体により形成されたカードと、第１の接点と、前記第１の接点と接触可能な第２の接点と、を有し、前記コイルに電流が流れていない状態では、前記第１の接点と前記第２の接点とが接触しており、前記コイルに電流が流れている状態では、前記接極子が前記鉄心に引き寄せられて、前記カードが、前記第１の接点と前記第２の接点との間に入り、前記第１の接点と前記第２の接点とが離れることを特徴とする。
【発明の効果】
【０００７】
開示の電磁継電器によれば、高電圧においてもアークの発生を抑制することができる。
【図面の簡単な説明】
【０００８】
【図１】一般的な電磁継電器の斜視図
【図２】第１の実施の形態における電磁継電器の斜視図
【図３】第１の実施の形態における電磁継電器の説明図
【図４】第２の実施の形態における電磁継電器の斜視図
【図５】第２の実施の形態における電磁継電器の説明図
【図６】第３の実施の形態における電磁継電器の説明図
【図７】第４の実施の形態における電磁継電器の説明図
【図８】第５の実施の形態における電磁継電器の斜視図
【図９】第６の実施の形態における電磁継電器の説明図
【図１０】第７の実施の形態における電磁継電器の斜視図
【発明を実施するための形態】
【０００９】
本発明を実施するための形態について、以下に説明する。尚、同じ部材等については、同一の符号を付して説明を省略する。
【００１０】
〔第１の実施の形態〕
最初に、図１に基づき、一般的な電磁継電器について説明する。図１に示される電磁継電器は、固定バネ接点９１０、可動バネ接点９２０、コイル９３０、接極子９４０、カード９５０、ヒンジバネ９６０、鉄心等を有している。この電磁継電器においては、コイル９３０に電流を流すことにより磁界が発生し、発生した磁界による磁力により、鉄心に接極子９４０が引き寄せられ、これに伴いカード９５０が動く。カード９５０が動くと、カード９５０の先端部分で接触している可動バネ接点９２０が押されて、固定バネ接点９１０と可動バネ接点９２０とが接触する。これにより、固定バネ接点９１０に可動バネ接点９２０を介し、電力が供給される。
【００１１】
一方、コイル９３０に流れている電流の供給を停止すると、発生していた磁界が消滅し、接極子９４０をコイル９３０に引き寄せていた磁力が消滅するため、ヒンジバネ９６０の復元力により、接極子９４０が元の状態に戻る。これに伴い、固定バネ接点９１０より、可動バネ接点９２０が離れる方向にカード９５０も動き、固定バネ接点９１０より、可動バネ接点９２０が離れ電力の供給が遮断される。この際、電磁継電器に供給されている電力が高電圧である場合、固定バネ接点９１０より、可動バネ接点９２０が離れる際に、アークが発生する。アークが発生すると、発生したアークの熱により、固定バネ接点９１０または可動バネ接点９２０が加熱され溶融し破壊されてしまう場合がある。
【００１２】
従って、電磁継電器に供給されている電力が高電圧であっても、アーク等が発生することのない電磁継電器が求められている。
【００１３】
（電磁継電器）
次に、第１の実施の形態における電磁継電器について図２及び図３に基づき説明する。図２は、本実施の形態における電磁継電器の斜視図であり、図２（ａ）は接点がオンの状態を示し、図２（ｂ）は接点がオフの状態を示す。図３は、本実施の形態における電磁継電器の要部の拡大図であり、図３（ａ）は接点がオンの状態を示し、図３（ｂ）は接点がオフの状態を示す。
【００１４】
本実施の形態における電磁継電器は、第１の固定バネ接点１０、第２の固定バネ接点２０、コイル３０、接極子４０、カード５０、ヒンジバネ６０、鉄心７０等を有している。図２（ａ）に示されるように、本実施の形態における電磁継電器においては、コイル３０に電流が流れていない状態では、第１の固定バネ接点１０と第２の固定バネ接点２０とが接触しており、電磁継電器を介して、電磁継電器が接続されている回路に電力が供給される。尚、第１の固定バネ接点１０、第２の固定バネ接点２０は、例えば、ＡｇＮｉ等により形成されている。
【００１５】
一方、図２（ｂ）に示すように、本実施の形態における電磁継電器において、コイル３０に電流を流すことにより磁界が発生し、発生した磁界による磁力により鉄心７０に接極子４０が引き寄せられる。接極子４０が鉄心７０に引き寄せられると、接極子４０の端部において接続されているカード５０が、第１の固定バネ接点１０と第２の固定バネ接点２０との間に入り込むように動く。このように、第１の固定バネ接点１０と第２の固定バネ接点２０との間に、カード５０が先端部５１より入り込むことにより、第１の固定バネ接点１０と第２の固定バネ接点２０とが離れ、電力の供給が遮断される。本実施の形態においては、カード５０は、樹脂材料やセラミックス等の絶縁体により形成されている。よって、第１の固定バネ接点１０と第２の固定バネ接点２０とが離れるだけではなく、絶縁体により形成されたカード５０が接点間に入り込むため、アークの発生を防ぐことができる。カード５０は、第１の固定バネ接点１０と第２の固定バネ接点２０との間に入り込みやすいように、先端部５１は先細りとなっており、先に行くほど尖っている形状となるように形成されている。
【００１６】
次に、電磁継電器において、コイル３０に流れる電流の供給を停止すると、発生していた磁界が消滅し、接極子４０をコイル３０に引き寄せていた磁力がなくなるため、ヒンジバネ６０の復元力により、接極子４０が元の状態に戻る。これに伴い、カード５０も、第１の固定バネ接点１０と第２の固定バネ接点２０との間から引き抜かれる方向に動き、第１の固定バネ接点１０と第２の固定バネ接点２０とが接触し、電磁継電器を介して、電力が供給される。即ち、図２（ａ）に示す状態に戻る。
【００１７】
本実施の形態における電磁継電器においては、電力の供給を遮断する際には、第１の固定バネ接点１０と第２の固定バネ接点２０との間に、絶縁体により形成されたカード５０が入り込むことにより接点が開き、電力の供給が遮断される。このため、電磁継電器に供給されている電力が高電圧の場合であっても、第１の固定バネ接点１０と第２の固定バネ接点２０との間でアークが発生することはない。よって、アークによる熱により第１の固定バネ接点１０及び第２の固定バネ接点２０が溶融したり破壊等されたりすることはない。
【００１８】
尚、カード５０は、前述したように、樹脂材料やセラミックス等の絶縁体により形成されているが、更には、テフロン（登録商標）等のフッ素樹脂やＰＯＭ（polyoxymethylene）等により形成されていることが好ましい。これらの材料は、耐熱性が高く、絶縁性も高いからである。
【００１９】
〔第２の実施の形態〕
次に、第２の実施の形態における電磁継電器について図４に基づき説明する。図４は、本実施の形態における電磁継電器の斜視図であり、図４（ａ）は接点がオフの状態を示し、図４（ｂ）は接点がオンの状態を示す。また、図５は本実施の形態によるカード１５０の部分を示す図である。本実施の形態における電磁継電器においては、図５に示されるように、カード１５０に貫通口１５１が形成されており、カード１５０に設けられた貫通口１５１に、第１の固定バネ接点１０及び第２の固定バネ接点２０が入り込むことができる。このように、カード１５０における貫通口１５１に、第１の固定バネ接点１０及び第２の固定バネ接点２０が入り込むことにより、第１の固定バネ接点１０と第２の固定バネ接点２０とが接触し、電磁継電器を介し、電力が供給される。
【００２０】
本実施の形態における電磁継電器は、第１の固定バネ接点１０、第２の固定バネ接点２０、コイル３０、接極子４０、カード１５０、ヒンジバネ６０、鉄心７０等を有している。図４（ａ）に示すように、本実施の形態における電磁継電器においては、コイル３０に電流が流れていない状態においては、第１の固定バネ接点１０と第２の固定バネ接点２０との間に、絶縁体により形成されたカード１５０が入り込んでいる。よって、接点が開いており、電力は供給されない。
【００２１】
一方、図４（ｂ）に示すように、本実施の形態における電磁継電器において、コイル３０に電流を流すことにより磁界が発生し、発生した磁界による磁力により鉄心７０に接極子４０が引き寄せられる。接極子４０が鉄心７０に引き寄せられると、接極子４０の端部に接続されているカード１５０が、第１の固定バネ接点１０と第２の固定バネ接点２０との間を更に奥に向かって動く。これにより、カード１５０に設けられた貫通口１５１に、第１の固定バネ接点１０と第２の固定バネ接点２０とが入り込む。この状態においては、カード１５０の貫通口１５１において、第１の固定バネ接点１０と第２の固定バネ接点２０とが接触しており、本実施の形態における電磁継電器を介し電力が供給される。
【００２２】
次に、コイル３０に流れる電流の供給を停止すると、発生していた磁界が消滅し、接極子４０を鉄心７０に引き寄せていた磁力がなくなるため、ヒンジバネ６０の復元力により、接極子４０が元の状態に戻る。これに伴い、図４（ａ）に示すように、カード１５０が、第１の固定バネ接点１０と第２の固定バネ接点２０との間から貫通口１５１が離れる方向に動く。これにより、第１の固定バネ接点１０及び第２の固定バネ接点２０は、貫通口１５１から出て、第１の固定バネ接点１０と第２の固定バネ接点２０との間には、絶縁体により形成されたカード１５０が挟み込まれた状態となる。このようにして、第１の固定バネ接点１０と第２の固定バネ接点２０とが離れ、電力の供給が遮断される。本実施の形態においては、上述したように、カード１５０は、絶縁体により形成されているため、第１の固定バネ接点１０と第２の固定バネ接点２０とが離れるだけではなく、絶縁体により形成されたカード１５０が入り込むため、アークが発生することはない。
【００２３】
本実施の形態における電磁継電器においては、電力の供給を遮断する際には、第１の固定バネ接点１０と第２の固定バネ接点２０との間に、絶縁体により形成されたカード１５０が入り込む。このため、供給されている電力が高電圧の場合であっても、第１の固定バネ接点１０と第２の固定バネ接点２０との間でアークが発生することはない。よって、アークによる熱により第１の固定バネ接点１０及び第２の固定バネ接点２０が溶融したり破壊等されたりすることはない。
【００２４】
尚、カード１５０は、前述したように、樹脂材料やセラミックス等の絶縁体により形成されているが、更には、第１の実施形態と同様に、テフロン等のフッ素樹脂やＰＯＭ等により形成されていることが好ましい。
【００２５】
〔第３の実施の形態〕
次に、第３の実施の形態について説明する。本実施の形態における電磁継電器は、図６に示されるように、カードの形状が、カードの先端部の両側の壁部２５１と内側の溝部２５２により形成されている構造のものである。尚、図６（ａ）は、本実施の形態における電磁継電器のカード２５０の斜視図であり、図６（ｂ）は、本実施の形態における電磁継電器の要部における断面図である。本実施の形態における電磁継電器においては、カード２５０の先端部分の両側における壁部２５１は、図６図示上下方向の厚みが厚く形成されており、内側の溝部２５２が形成されている領域の厚みは、壁部２５１の厚さよりも十分に薄く形成されている。従って、第１の固定バネ接点１０と第２の固定バネ接点２０との間に、カード２５０が入り込んでも、カード２５０は接触部分１０ａ、２０ａに触れることなく、第１の固定バネ接点１０と第２の固定バネ接点２０とを離すことができる。
【００２６】
即ち、第１の実施の形態においては、第１の固定バネ接点１０と第２の固定バネ接点２０との間にカード５０が入り込むことが繰り返されると、カード５０により、第１の固定バネ接点１０と第２の固定バネ接点２０との接触部分１０ａ、２０ａが削られてしまう。このように、第１の固定バネ接点１０と第２の固定バネ接点２０との接触部分１０ａ、２０ａがカード５０により削られて形状が変形等してしまうと、第１の固定バネ接点１０と第２の固定バネ接点２０との接触状態が不安定となり、接触不良等の原因となる。
【００２７】
本実施の形態においては、第１の固定バネ接点１０と第２の固定バネ接点２０との間に、カード２５０が入り込む際、カード２５０の壁部２５１が、第１の固定バネ接点１０と第２の固定バネ接点２０に接触して両接点を引き離す。第１の固定バネ接点１０及び第２の固定バネ接点２０とカード２５０の壁部２５１とが接触する部分は、第１の固定バネ接点１０と第２の固定バネ接点２０の接触部分１０ａ、２０ａから離れた周辺部分１０ｂ、２０ｂである。よって、第１の固定バネ接点１０と第２の固定バネ接点２０の接触部分１０ａ、２０ａは、カード２５０の溝部２５２に入り込むため、第１の固定バネ接点１０と第２の固定バネ接点２０の接触部分１０ａ、２０ａがカード２５０と接触することはない。
【００２８】
尚、第１の固定バネ接点１０と第２の固定バネ接点２０の周辺部分１０ｂ、２０ｂは、カード２５０の壁部２５１と接触することにより、多少削られたとしても、第１の固定バネ接点１０と第２の固定バネ接点２０との接触には寄与しない部分であるため、接触不良等を招くことはなく、電力供給を不安定にすることはない。よって、本実施の形態においては、カード２５０が第１の固定バネ接点１０と第２の固定バネ接点２０との間に入り込むことにより、第１の固定バネ接点１０と第２の固定バネ接点２０の接触部分１０ａ、２０ａが削られることなく、第１の固定バネ接点１０と第２の固定バネ接点２０とを離すことができる。また、カード２５０においては、溝部２５２が形成されている領域は、薄いものの絶縁体により形成されているため、第１の固定バネ接点１０と第２の固定バネ接点２０との間に生じるアークを遮断することができる。
【００２９】
〔第４の実施の形態〕
次に、第４の実施の形態について説明する。本実施の形態における電磁継電器は、カードの先端部分に凹凸が形成されている構造のものである。具体的には、図７に示すように、本実施の形態における電磁継電器のカード３５０は、先端部分に凹凸部３５１が形成されている。凹凸部３５１は、図７に示すように、カード３５０の先端部分の表面に溝を形成することにより形成してもよく、また、複数の突起等を形成することにより形成してもよい。このように、カード３５０の先端部分に凹凸部３５１を形成することにより、第１の固定バネ接点１０と第２の固定バネ接点２０の接触部分に付着しているゴミ等を除去することができ、また、表面が酸化している場合は、表面の酸化膜を除去することができる。これにより、第１の固定バネ接点１０と第２の固定バネ接点２０との接触を確実にすることができ、第１の固定バネ接点１０と第２の固定バネ接点２０を介した電力の供給を確実に行うことができる。尚、上記以外の内容については、第１の実施の形態と同様である。
【００３０】
〔第５の実施の形態〕
次に、第５の実施の形態における電磁継電器について図８に基づき説明する。図８は、本実施の形態における電磁継電器の斜視図であり、図８（ａ）は接点がオンの状態を示し、図８（ｂ）は接点がオフの状態を示す。
【００３１】
本実施の形態における電磁継電器は、第１の固定バネ接点１０、第２の固定バネ接点２０、コイル３０、接極子４０、ヒンジバネ６０、鉄心７０、カード板部４５１、カード棒４５２、絶縁部材４５３、絶縁板４５４、バネ４５５等を有している。図８（ａ）に示されるように、本実施の形態における電磁継電器においては、コイル３０に電流が流れていない状態では、第１の固定バネ接点１０と第２の固定バネ接点２０とが接触しており、本実施の形態における電磁継電器を介し、電力の供給がなされている。
【００３２】
一方、図８（ｂ）に示すように、本実施の形態における電磁継電器において、コイル３０に電流を流すことにより磁界が発生し、発生した磁界による磁力により鉄心７０に接極子４０が引き寄せられる。接極子４０が鉄心７０に引き寄せられると、接極子４０の端部において接続されているカード板部４５１及びカード板部４５１に接続されている２本のカード棒４５２が、第１の固定バネ接点１０及び第２の固定バネ接点２０が設けられている方向に動く。第１の固定バネ接点１０及び第２の固定バネ接点２０の近傍には、２つの部材によりはさみ状に形成された開閉可能な絶縁部材４５３が設けられており、２本のカード棒４５２と接触している。
【００３３】
本実施の形態においては、コイル３０に電流が流れていない状態では、絶縁部材４５３は開いた状態にあり、第１の固定バネ接点１０と第２の固定バネ接点２０との接触が保たれている。しかしながら、コイル３０に電流を流すことにより、接極子４０が動き、カード板部４５１を介し、２本のカード棒４５２により絶縁部材４５３が押されて、絶縁部材４５３は閉じられる。これにより、第１の固定バネ接点１０と第２の固定バネ接点２０との間に、閉じられた絶縁部材４５３が入り込むため電力の供給が遮断される。本実施の形態においては、上述したように、絶縁部材４５３は、絶縁体により形成されている。よって、第１の固定バネ接点１０と第２の固定バネ接点２０とが離れるだけではなく、第１の固定バネ接点１０と第２の固定バネ接点２０との間に、絶縁部材４５３が入り込むため、アークの発生を防ぐことができる。
【００３４】
次に、本実施の形態における電磁継電器において、コイル３０に流れる電流の供給を停止すると、発生していた磁界が消滅し、接極子４０を鉄心７０に引き寄せていた磁力がなくなるため、ヒンジバネ６０の復元力により、接極子４０が元の状態に戻る。これに伴い、カード板部４５１も、第１の固定バネ接点１０と第２の固定バネ接点２０から離れ、絶縁板４５４を介したバネ４５５の復元力により、はさみ状の絶縁部材４５３が開かれ、第１の固定バネ接点１０と第２の固定バネ接点２０とが接触する。これにより、図８（ａ）に示す状態に戻り、本実施の形態における電磁継電器を介し電力が供給される。
【００３５】
本実施の形態における電磁継電器においては、電力の供給を遮断する際には、第１の固定バネ接点１０と第２の固定バネ接点２０との間に、はさみ状の絶縁部材４５３が入り込むことにより、電力の供給が遮断される。このため、供給されている電力が高電圧の場合であっても、第１の固定バネ接点１０と第２の固定バネ接点２０との間でアークが発生することはない。よって、アークによる熱により第１の固定バネ接点１０及び第２の固定バネ接点２０が溶融したり破壊等されたりすることはない。
【００３６】
尚、はさみ状の絶縁部材４５３は、前述したように、樹脂材料やセラミックス等の絶縁体により形成されているが、更には、テフロン等のフッ素樹脂やＰＯＭ等により形成されていることが好ましい。これらの材料は、耐熱性が高く、絶縁性も高いからである。
【００３７】
〔第６の実施の形態〕
次に、第６の実施の形態における電磁継電器について図９に基づき説明する。図９は、本実施の形態における電磁継電器の要部の斜視図であり、図９（ａ）は接点がオンの状態を示し、図９（ｂ）は接点がオフの状態を示す。
【００３８】
本実施の形態における電磁継電器は、第１の固定バネ接点５１０には、第１の固定バネ支持部５１１と第１の固定バネ支持部５１１の端部に設けられた接点突起部５１２とを有している。また、第２の固定バネ接点５２０には、第２の固定バネ支持部５２１と第２の固定バネ支持部５２１の端部に設けられた接点突起部５２２とを有している。第１の固定バネ接点５１０と第２の固定バネ接点５２０とは、第１の固定バネ接点５１０における接点突起部５１２と、第２の固定バネ接点５２０における接点突起部５２２とが接触することにより接触している。
【００３９】
カード５５０は、絶縁体により形成されており肉厚のカード本体部５５１とカード本体部５５１よりも薄く形成された先端部５５２とを有している。本実施の形態における電磁継電器では、図９（ａ）に示すように、コイルに電流が流れていない状態においては、第１の固定バネ接点５１０における接点突起部５１２と第２の固定バネ接点５２０における接点突起部５２２とが接触している。よって、本実施の形態における電磁継電器を介し、電力が供給されている。
【００４０】
図９（ｂ）に示すように、本実施の形態における電磁継電器において、コイルに電流を流すことにより磁界が発生し、発生した磁界による磁力により、カード５５０が第１の固定バネ接点５１０と第２の固定バネ接点５２０との間に入り込む。この際、最初に、カード５５０におけるカード本体部５５１が、第１の固定バネ接点５１０における第１の固定バネ支持部５１１と接触し、第２の固定バネ接点５２０における第２の固定バネ支持部５２１と接触する。これにより、第１の固定バネ接点５１０と第２の固定バネ接点５２０との間隔が広がり、第１の固定バネ接点５１０における接点突起部５１２と第２の固定バネ接点５２０における接点突起部５２２とが離れ、電力の供給が遮断される。この際、第１の固定バネ接点５１０における接点突起部５１２と第２の固定バネ接点５２０における接点突起部５２２との間に、薄く形成されたカード５５０における先端部５５２が入り込むため、アークの発生を防ぐことができる。また、第１の固定バネ接点５１０における接点突起部５１２と第２の固定バネ接点５２０における接点突起部５２２とが離れる際に、接点突起部５１２及び接点突起部５２２とカード５５０とが接触することはないため、接点突起部５１２及び接点突起部５２２における摩耗等を防ぐことができる。
【００４１】
尚、上記以外の内容については、第１の実施の形態と同様である。カード５５０は、前述したように、樹脂材料やセラミックス等の絶縁体により形成されているが、更には、テフロン等のフッ素樹脂やＰＯＭ等により形成されていることが好ましい。これらの材料は、耐熱性が高く、絶縁性も高いからである。
【００４２】
〔第７の実施の形態〕
次に、第７の実施の形態について説明する。本実施の形態は、第１の固定バネ接点及び第２の固定バネ接点が、複数、例えば、各々２つ、２組設けられている構造の電磁継電器である。本実施の形態における電磁継電器は、図１０に示されるように、２つの第１の固定バネ接点６１１、６１２が設けられており、これら２つの第１の固定バネ接点６１１、６１２に対応する２つの不図示の第２の固定バネ接点が設けられている。尚、本実施の形態における第１の固定バネ接点６１１、６１２及び第２の固定バネ接点は、第１の実施の形態における第１の固定バネ接点１０及び第２の固定バネ接点２０と同様のものである。
【００４３】
また、本実施の形態においては、カード６５０には、開口部６５１が形成されている。カード６５０は、第１の実施の形態におけるカード５０と同様の材料により形成されている。
【００４４】
図１０は、カード６５０が第１の固定バネ接点６１１と第１の固定バネ接点６１１に対応する第２の固定バネ接点との間に入り込み、第１の固定バネ接点６１２と第１の固定バネ接点６１２に対応する第２の固定バネ接点との間に入り込んでいる状態を示している。この状態は、例えば、コイル３０に電流を流すことにより磁界が発生し、発生した磁界による磁力によりカード６５０が移動することによりもたらされる。尚、図１０に示されている状態は、電力の供給がなされていない状態を示している。
【００４５】
本実施の形態において、コイルに流れる電流の供給を停止することにより、発生していた磁界が消滅し、カード６５０が移動する。これにより、カード６５０の開口部６５１は、第１の固定バネ接点６１１が設けられている位置まで移動し、第１の固定バネ接点６１１と第１の固定バネ接点６１１に対応する第２の固定バネ接点とが接触する。また、カード６５０は、第１の固定バネ接点６１２と第１の固定バネ接点６１２に対応する第２の固定バネ接点との間から引き抜かれるため、第１の固定バネ接点６１２と第１の固定バネ接点６１２に対応する第２の固定バネ接点とが接触する。これにより、本実施の形態における電磁継電器を介して、電力が供給される。
【００４６】
尚、上記以外の内容については、第１の実施の形態と同様である。また、本実施の形態は、第２から第６の実施の形態に適用可能である。本実施の形態においては、第１の固定バネ接点６１１及び第１の固定バネ接点６１１に対応する第２の固定バネ接点は、２組に限定されるものではなく、複数であってもよい。
【００４７】
以上、本発明の実施に係る形態について説明したが、上記内容は、発明の内容を限定するものではない。
【符号の説明】
【００４８】
１０        第１の固定バネ接点
１０ａ      接触部分
１０ｂ      周辺部分
２０        第２の固定バネ接点
２０ａ      接触部分
２０ｂ      周辺部分
３０        コイル
４０        接極子
５０        カード
５１        先端部
６０        ヒンジバネ
７０        鉄心
【図１】
2015207378.tif 000003
【図２】
2015207378.tif 000004
【図３】
2015207378.tif 000005
【図４】
2015207378.tif 000006
【図５】
2015207378.tif 000007
【図６】
2015207378.tif 000008
【図７】
2015207378.tif 000009
【図８】
2015207378.tif 000010
【図９】
2015207378.tif 000011
【図１０】
2015207378.tif 000012